(57)【要約】      （修正有）【課題】  携帯型の端末装置のユーザが、通りすがりの人により着用されるべき商品の商品情報を取得でき、また、自己が着用している商品のセンスについての他人の評価を得ることが可能なシステムを提供すること。【解決手段】  第１の端末装置は、当該第１の端末装置と第２の端末装置との近距離無線通信が確立された場合に、商品情報の送信要求を示す送信要求情報を第２の端末装置に送信する送信要求情報送信手段と、送信要求に対して第２の端末装置から送信されてきた、第２の端末装置のユーザの商品情報を受信する商品情報受信手段と、を備え、第２の端末装置は、第１の端末装置から送信されてきた送信要求情報を受信する送信要求情報受信手段と、送信要求情報の受信に応じて、第２の端末装置のユーザの商品情報をネットワークを介してサーバから取得する商品情報取得手段と、取得された商品情報を第１の端末装置に送信する商品情報送信手段と、を備える。【選択図】  図７
2006330844.tif 000002
【特許請求の範囲】
【請求項１】
近距離無線通信により互いに通信可能な複数の携帯型の端末装置と、夫々の前記端末装置とネットワークを介して通信可能なサーバであって夫々の前記端末装置のユーザにより着用されるべき商品の商品情報をユーザ別に管理するサーバと、を備える商品情報提供システムであって、
第１の前記端末装置は、
当該第１の前記端末装置と第２の前記端末装置との近距離無線通信が確立された場合に、前記商品情報の送信要求を示す送信要求情報を前記第２の端末装置に送信する送信要求情報送信手段と、
前記送信要求に対して前記第２の端末装置から送信されてきた、前記第２の端末装置のユーザの前記商品情報を受信する商品情報受信手段と、を備え、
前記第２の端末装置は、
前記第１の端末装置から送信されてきた前記送信要求情報を受信する送信要求情報受信手段と、
前記送信要求情報の受信に応じて、前記第２の端末装置のユーザの前記商品情報を前記ネットワークを介して前記サーバから取得する商品情報取得手段と、
前記取得された商品情報を前記第１の端末装置に送信する商品情報送信手段と、
を備えることを特徴とする商品情報提供システム。
【請求項２】
請求項１に記載の商品情報提供システムにおいて、
前記第１の端末装置は、当該第１の端末装置と前記第２の端末装置との近距離無線通信が確立された場合に、前記第２の端末装置のユーザの前記商品情報を受信可能であることを当該第１の端末装置のユーザに対して報知する報知手段を更に備え、
前記送信要求情報送信手段は、前記近距離無線通信が確立されている間に、当該第１の端末装置のユーザから入力手段を介して前記商品情報の受信指示があった場合に、当該商品情報の送信要求を示す送信要求情報を前記第２の端末装置に送信することを特徴とする商品情報提供システム。
【請求項３】
請求項１に記載の商品情報提供システムにおいて、
前記第１の端末装置は、前記商品情報の受信条件を設定する受信条件設定手段を更に備え、
前記送信要求情報送信手段は、前記第２の端末装置のユーザに関するユーザ情報が前記設定された受信条件を満たす場合に、前記商品情報の送信要求を示す送信要求情報を前記第２の端末装置に送信することを特徴とする商品情報提供システム。
【請求項４】
請求項１に記載の商品情報提供システムにおいて、
前記第２の端末装置は、前記商品情報の送信条件を設定する送信条件設定手段を更に備え、
前記商品情報取得手段は、前記第１の端末装置のユーザに関するユーザ情報が前記設定された送信条件を満たす場合に、前記第２の端末装置のユーザの前記商品情報を前記ネットワークを介して前記サーバから取得することを特徴とする商品情報提供システム。
【請求項５】
請求項３又は４に記載の商品情報提供システムにおいて、
前記送信条件及び前記受信条件には、ユーザの年齢と性別の少なくとも一方が含まれることを特徴とする商品情報提供システム。
【請求項６】
請求項１乃至５の何れか一項に記載の商品情報提供システムにおいて、
前記第２の端末装置は、ユーザ毎に複数備えられており、
前記サーバは、
前記第１の端末装置から前記第２の端末装置への商品情報の送信回数に基づくユーザのランキングを決定するランキング決定手段と、
前記決定されたユーザのランキングを前記ネットワークを介して接続してきた端末装置に対して提供するランキング提供手段と、
を備えることを特徴とする商品情報提供システム。
【請求項７】
請求項１乃至６の何れか一項に記載の商品情報提供システムに含まれる第１の端末装置として機能させることを特徴とするコンピュータプログラム。
【請求項８】
請求項１乃至６の何れか一項に記載の商品情報提供システムに含まれる第２の端末装置として機能させることを特徴とするコンピュータプログラム。
【請求項９】
近距離無線通信により互いに通信可能な複数の携帯型の端末装置と、夫々の前記端末装置とネットワークを介して通信可能なサーバであって夫々の前記端末装置のユーザにより着用される商品の商品情報をユーザ別に管理するサーバと、を備える商品情報提供システムにおける商品情報提供方法であって、
第１の前記端末装置は、当該第１の前記端末装置と第２の前記端末装置との近距離無線通信が確立された場合に、前記商品情報の送信要求を示す送信要求情報を前記第２の端末装置に送信し、
前記第２の端末装置は、前記第１の端末装置から送信されてきた前記送信要求情報を受信し、当該第２の端末装置のユーザの前記商品情報を前記ネットワークを介して前記サーバから取得して、これを前記第１の端末装置に送信し、
前記第１の端末装置は、前記送信要求に対して前記第２の端末装置から送信されてきた、前記第２の端末装置のユーザの前記商品情報を受信し、当該ユーザに対して提示する、
ことを特徴とする商品情報提供方法。
【発明の詳細な説明】
【技術分野】
【０００１】
本発明は、近距離無線通信により互いに通信可能な複数の携帯型の端末装置と、夫々の前記端末装置とネットワークを介して通信可能なサーバであって夫々の前記端末装置のユーザにより着用されるべき商品の商品情報をユーザ別に管理するサーバと、を備える商品情報提供システム等の技術分野に関する。
【背景技術】
【０００２】
多くの消費者（生活者）は、テレビ放送、雑誌、インターネット等の様々な媒体から提供される情報を参考にして、購入するべき、洋服、帽子、アクセサリ等の商品を決定している。近年では、消費者が、例えばパーソナルコンピュータを用いてインターネット上等で所望の商品を簡単に検索することができるようになっている。例えば、特許文献１には、電子カタログ用閲覧プログラムに関する技術が開示されている。
【０００３】
このような様々な媒体の他にも、消費者は、例えば街中で通りすがった人が着用している（身に着ける）洋服、帽子、アクセサリ等の商品の色やデザイン、更には洋服等の商品のコーディネイト（組合せ）を、意識的又は無意識に参考する場合も多い。
【特許文献１】特開２００３−２２８５６７号公報
【発明の開示】
【発明が解決しようとする課題】
【０００４】
しかしながら、消費者が、例えば街中で通りすがった人が着用している洋服、帽子、アクセサリ等の商品の色やデザイン、洋服等の商品のコーディネイトを気に入った場合であっても、その商品の色やデザイン、コーディネイト等を正確に記憶しておくことは困難である。更には、通りすがりの人が着用している洋服等の商品を販売する店舗やブランド名を知ることも極めて困難である。
【０００５】
一方で、ファッションに関心の高い消費者は、自ら着用している洋服、帽子、アクセサリ等の商品の色やデザイン、洋服等の商品のコーディネイト等が、他人からどのように見られているか（言い換えれば、ファッションセンスの他人による評価）を気にしていると思われるが、それを知ることは困難である。
【０００６】
更に、ファッション雑誌等の出版社では、一般消費者にモデルや記事執筆を依頼する企画が組まれることがある。また、アパレルメーカでは、一般消費者に商品開発に加わってもらうことがある。しかし、どちらの場合においても洋服等に関して企画に相応しいセンスを持った一般消費者を探すことは容易ではない。
【０００７】
本発明は、以上の点に鑑みてなされたものであり、携帯型の端末装置のユーザが、例えば通りすがりの人により着用されるべき商品の商品情報をより効率良く取得でき、また、自己が着用している商品のセンスについての他人の客観的な評価を容易に得ること等が可能な商品情報提供システム、商品情報提供方法、及びコンピュータプログラム等を提供することを課題とする。また、企業が、洋服等に関して企画に相応しいセンスを持った一般消費者を容易に探すことが可能な商品情報提供システム、商品情報提供方法、及びコンピュータプログラム等を提供することを課題とする。
【課題を解決するための手段】
【０００８】
上記課題を解決するために、請求項１に記載の発明は、近距離無線通信により互いに通信可能な複数の携帯型の端末装置と、夫々の前記端末装置とネットワークを介して通信可能なサーバであって夫々の前記端末装置のユーザにより着用されるべき商品の商品情報をユーザ別に管理するサーバと、を備える商品情報提供システムであって、第１の前記端末装置は、当該第１の前記端末装置と第２の前記端末装置との近距離無線通信が確立された場合に、前記商品情報の送信要求を示す送信要求情報を前記第２の端末装置に送信する送信要求情報送信手段と、前記送信要求に対して前記第２の端末装置から送信されてきた、前記第２の端末装置のユーザの前記商品情報を受信する商品情報受信手段と、を備え、前記第２の端末装置は、前記第１の端末装置から送信されてきた前記送信要求情報を受信する送信要求情報受信手段と、前記送信要求情報の受信に応じて、前記第２の端末装置のユーザの前記商品情報を前記ネットワークを介して前記サーバから取得する商品情報取得手段と、前記取得された商品情報を前記第１の端末装置に送信する商品情報送信手段と、を備えることを特徴とする。
【０００９】
この発明によれば、第１の端末装置と第２の端末装置との近距離無線通信が確立された場合に、第２の端末装置のユーザにより着用されるべき商品の商品情報が、第１の端末装置に送信されるように構成したので、第１の端末装置のユーザは、例えば通りすがりの第２の端末装置のユーザにより着用されるべき商品の商品情報をより効率良く取得することができる。
【００１０】
請求項２に記載の発明は、請求項１に記載の商品情報提供システムにおいて、前記第１の端末装置は、当該第１の端末装置と前記第２の端末装置との近距離無線通信が確立された場合に、前記第２の端末装置のユーザの前記商品情報を受信可能であることを当該第１の端末装置のユーザに対して報知する報知手段を更に備え、前記送信要求情報送信手段は、前記近距離無線通信が確立されている間に、当該第１の端末装置のユーザから入力手段を介して前記商品情報の受信指示があった場合に、当該商品情報の送信要求を示す送信要求情報を前記第２の端末装置に送信することを特徴とする。
【００１１】
この発明によれば、第２の端末装置のユーザの商品情報を受信可能であることが第１の端末装置のユーザに対して報知され、当該第１の端末装置のユーザから入力手段を介して商品情報の受信指示があった場合に、第１の端末装置が第２の端末装置に送信要求情報を送信するように構成したので、第１の端末装置のユーザは、例えば通りすがりの第２の端末装置のユーザにより着用されるべき商品のうち、自分が気に入った商品の商品情報のみを取得することができる。
【００１２】
請求項３に記載の発明は、請求項１に記載の商品情報提供システムにおいて、前記第１の端末装置は、前記商品情報の受信条件を設定する受信条件設定手段を更に備え、前記送信要求情報送信手段は、前記第２の端末装置のユーザに関するユーザ情報が前記設定された受信条件を満たす場合に、前記商品情報の送信要求を示す送信要求情報を前記第２の端末装置に送信することを特徴とする。
【００１３】
この発明によれば、第２の端末装置のユーザに関するユーザ情報が設定された受信条件を満たす場合に、第１の端末装置が第２の端末装置に送信要求情報を送信するように構成したので、第１の端末装置のユーザは、例えば通りすがりの第２の端末装置のユーザにより着用されるべき商品のうち、自分が所望する受信条件を満たすユーザの商品情報のみを取得することができる。
【００１４】
請求項４に記載の発明は、請求項１に記載の商品情報提供システムにおいて、前記第２の端末装置は、前記商品情報の送信条件を設定する送信条件設定手段を更に備え、前記商品情報取得手段は、前記第１の端末装置のユーザに関するユーザ情報が前記設定された送信条件を満たす場合に、前記第２の端末装置のユーザの前記商品情報を前記ネットワークを介して前記サーバから取得することを特徴とする。
【００１５】
この発明によれば、第１の端末装置のユーザに関するユーザ情報が設定された送信条件を満たす場合に、第２の端末装置がサーバから商品情報を取得するように構成したので、第２の端末装置のユーザは、自分が所望する送信条件を満たすユーザにのみ商品情報を提供することができる。
【００１６】
請求項５に記載の発明は、請求項３又は４に記載の商品情報提供システムにおいて、前記送信条件及び前記受信条件には、ユーザの年齢と性別の少なくとも一方が含まれることを特徴とする。
【００１７】
請求項６に記載の発明は、請求項１乃至５の何れか一項に記載の商品情報提供システムにおいて、前記第２の端末装置は、ユーザ毎に複数備えられており、前記サーバは、前記第１の端末装置から前記第２の端末装置への商品情報の送信回数に基づくユーザのランキングを決定するランキング決定手段と、前記決定されたユーザのランキングを前記ネットワークを介して接続してきた端末装置に対して提供するランキング提供手段と、を備えることを特徴とする。
【００１８】
この発明によれば、自己が着用している商品のセンスについての他人の客観的な評価をユーザのランキングによって容易に得ることができる。また、企業は、洋服等に関して企画に相応しいセンスを持った一般消費者を容易に探すことができる。
【００１９】
請求項７に記載のコンピュータプログラムは、請求項１乃至６の何れか一項に記載の商品情報提供システムに含まれる第１の端末装置として機能させることを特徴とする。
【００２０】
請求項８に記載のコンピュータプログラムは、請求項１乃至６の何れか一項に記載の商品情報提供システムに含まれる第２の端末装置として機能させることを特徴とする。
【００２１】
請求項９に記載の発明は、近距離無線通信により互いに通信可能な複数の携帯型の端末装置と、夫々の前記端末装置とネットワークを介して通信可能なサーバであって夫々の前記端末装置のユーザにより着用される商品の商品情報をユーザ別に管理するサーバと、を備える商品情報提供システムにおける商品情報提供方法であって、第１の前記端末装置は、当該第１の前記端末装置と第２の前記端末装置との近距離無線通信が確立された場合に、前記商品情報の送信要求を示す送信要求情報を前記第２の端末装置に送信し、前記第２の端末装置は、前記第１の端末装置から送信されてきた前記送信要求情報を受信し、当該第２の端末装置のユーザの前記商品情報を前記ネットワークを介して前記サーバから取得して、これを前記第１の端末装置に送信し、前記第１の端末装置は、前記送信要求に対して前記第２の端末装置から送信されてきた、前記第２の端末装置のユーザの前記商品情報を受信し、当該ユーザに対して提示する、ことを特徴とする。
【発明の効果】
【００２２】
本発明によれば、第１の端末装置と第２の端末装置との近距離無線通信が確立された場合に、第２の端末装置のユーザにより着用されるべき商品の商品情報が、第１の端末装置に送信されるように構成したので、第１の端末装置のユーザは、例えば通りすがりの第２の端末装置のユーザにより着用されるべき商品の商品情報をより効率良く取得することができる。
【発明を実施するための最良の形態】
【００２３】
以下、本発明を実施するための最良の実施形態について、図面に基づいて説明する。
【００２４】
先ず、図１及び図２を参照して、本発明の一実施形態に係る商品情報提供システムの構成及び機能について説明する。
【００２５】
図１は、実施形態に係る商品情報提供システムの全体構成例を示す図であり、図２は、携帯電話機の概要構成例を示す図である。
【００２６】
図１に示すように、商品情報提供システムＳは、携帯型の端末装置の一例としての携帯電話機１Ａ及び１Ｂと、ＷＥＢサーバ２と、を備えて構成されており、携帯電話機１Ａ及び携帯電話機１Ｂは、移動体通信網及びインターネット等により構築されたネットワーク３を介してＷＥＢサーバ２に接続して通信可能（例えば、通信プロトコルにＴＣＰ／ＩＰ（Transmission Control Protocol/Internet Protocol）を用いて、相互にデータの送受信が可能）になっている。
【００２７】
なお、図１の例では、説明の便宜上、２つの携帯電話機１Ａ及び１Ｂを示したが、実際にはこれより多くの携帯電話機が存在することになる。また、商品を販売する店舗の端末（例えば、レジ端末等）４、ユーザ端末（例えば、パーソナルコンピュータ等）５、その他消費者及び企業等の多くの端末がネットワーク３を介してＷＥＢサーバ２に接続可能になっている。
【００２８】
ＷＥＢサーバ２は、演算機能を有するＣＰＵ（Central Processing Unit）、作業用のＲＡＭ（Random Access Memory）、データ及びプログラムを記憶するＲＯＭ（Read Only Memory）等を備える制御部、各種情報を記憶する記憶部（例えば、ハードディスクドライブ等からなる）、ネットワーク３を介して他の装置との間で通信を行うための通信部（例えば、通信機器、通信ポート等）等を備えている。
【００２９】
ＷＥＢサーバ２の制御部は、例えば、ＣＰＵが、ＲＯＭや記憶部に記憶されたプログラムを実行することにより、ＷＥＢサーバ２における各構成要素を制御すると共に、本発明のランキング決定手段、及びランキング提供手段等として機能するようになっている。なお、各手段の詳細については後述する。
【００３０】
また、ＷＥＢサーバ２の記憶部には、商品情報ＤＢ（データベース）２ａ及びユーザ情報ＤＢ（データベース）２ｂが構築されている（なお、商品情報ＤＢ２ａ及びユーザ情報ＤＢ２ｂは、データベースサーバに備えられるようにしても良い）。
【００３１】
商品情報ＤＢ２ａには、商品の商品情報が商品毎に区別されて登録（格納）されるようになっており、当該商品情報には、例えば、各商品に一意に割り当てられた商品コード（例えば、ＪＡＮコード）、商品名、ブランド名、商品価格、商品画像、及び商品を販売する店舗の店舗情報（例えば、店舗ＩＤ、店舗名、店舗の住所、電話番号、電子メールアドレス、店舗周辺の地図画像、店舗のホームページのＵＲＬ等）等の情報が含まれ、これらの情報は相互に対応付けられている。また、当該商品情報は、例えばＷＥＢサーバ２の運営者により登録されることになる。
【００３２】
このような商品としては、ユーザにより着用可能（言い換えれば、ユーザにより身に付け可能）であって外見上客観的に視認可能（一部分でも良い）な、例えば、帽子、洋服（例えば、ブラウス、スーツ、コート、ドレス、パンツ、スカート等）、ネクタイ、スカーフ、靴、アクセサリ（例えば、ネックレス、ブレスレット）、バック等が該当する。
【００３３】
ユーザ情報ＤＢ２ｂには、商品情報提供システムＳを利用するための会員登録を行った携帯電話機のユーザに関するユーザ情報がユーザ毎に区別されて登録（格納）されるようになっており、当該ユーザ情報には、例えば、各ユーザに一意に割り当てられた会員ＩＤ（ユーザＩＤ）、パスワード、ユーザの氏名又は名称、年齢、性別、住所、電話番号、電子メールアドレス等の情報が含まれ、これらの情報は相互に対応付けられている。また、当該ユーザ情報は、会員登録の際に例えばＷＥＢサーバ２の運営者により登録されることになる。
【００３４】
更に、ユーザ情報ＤＢ２ｂには、ユーザにより所有される商品の商品コード、及び後述する各種設定情報が各会員ＩＤに対応付けられて登録されることになる。
【００３５】
そして、ＷＥＢサーバ２は、商品情報ＤＢ２ａ及びユーザ情報ＤＢ２ｂを用いて、夫々の携帯電話機のユーザにより着用される商品の商品情報をユーザ別に管理し、携帯端末機１Ａ，１Ｂからの要求に応じて商品情報ＤＢ２ａ又はユーザ情報ＤＢ２ｂへの各種情報の読み出し又は書き込みを行うことになる。
【００３６】
携帯電話機１Ａ及び携帯電話機１Ｂは、図２に示すように、夫々、演算機能を有するＣＰＵ、作業用のＲＡＭ、データ及びプログラムを記憶するＲＯＭ等を備える制御部１１、各種情報を記憶する記憶部（例えば、不揮発性メモリ等）１２、アンテナ（図示せず）及びネットワーク３を介してＷＥＢサーバ２との間で通信を行うための無線通信部１３、他の携帯電話機との間で近距離無線通信を行うための近距離無線通信部１４、音声情報を出力するスピーカ１５、音声情報を入力するマイクロフォン１６、各種情報を表示する表示画面を有する表示部１７、及びユーザからの各種操作指示を入力するための入力手段としての入力部１８等を含んで構成されており、これらの各構成要素はバス１９を介して相互に接続されている。
【００３７】
制御部１１は、例えば、ＣＰＵが、ＲＯＭや記憶部１２に記憶されたプログラムを実行することにより、携帯電話機１Ａ（又は１Ｂ）における各構成要素を制御すると共に、ＷＥＢブラウザ機能を有し、本発明の報知手段、送信要求情報送信手段、商品情報受信手段、送信要求情報受信手段、商品情報取得手段、商品情報送信手段、受信条件設定手段、及び送信条件設定手段等として機能するようになっている。なお、各手段の詳細については後述する。
【００３８】
近距離無線通信部１４は、例えば公知のBluetoothに基づく近距離無線通信（周波数ホッピング方式のスペクトラム拡散技術を採用して電波を送受信する）機能を有し、同様の近距離無線通信機能を有する他の携帯電話機等との間で近距離無線通信が可能になっている。例えば、携帯電話機１Ａと携帯電話機１Ｂ間の距離が１０ｍ以内になると、携帯電話機１Ａの近距離無線通信部１４と携帯電話機１Ｂの近距離無線通信部１４は互いを認識し、これらは互いのＩＤを交換して認証処理を行い、問題がなければ、近距離無線通信が確立し、情報の送受信が可能となる。
【００３９】
以上のように構成された商品情報提供システムＳ上において、携帯電話機１Ａと携帯電話機１Ｂとの間で、近距離無線通信により、ユーザにより着用されるべき商品の商品情報の送受信が行われることになる。
【００４０】
次に、上記のように構成された商品情報提供システムＳの動作について説明する。
【００４１】
なお、以下の説明においては、携帯電話機１Ａが商品情報の送信側（第１の端末装置の一例）とし、携帯電話機１Ｂが商品情報の受信側（第２の端末装置の一例）として説明する。
【００４２】
（１．所有商品の登録）
先ず、ユーザにより所有される商品の商品コードが、ユーザ情報ＤＢ２ｂへ登録される際の動作例について、図３を参照して説明する。
【００４３】
図３は、商品（ここでは、洋服）の商品コードがユーザ情報ＤＢ２ｂに登録される際の様子を示す図であり、ユーザの商品（洋服）購入時に店舗の店員の指示の下、登録される場合（図３の（Ａ））と、ユーザの指示の下、登録される場合（図３の（Ｂ））との２つの態様を示している。
【００４４】
図３の（Ａ）の態様の場合、ユーザＵ１が、店舗で洋服を購入する際に、店員Ｔ１に対して当該洋服の登録依頼を行って自己の会員ＩＤを提示（例えば、口頭で提示しても良いし、会員カードを提示しても良い）すると、当該店員Ｔ１は、レジ端末４の入力部を操作して上記提示された会員ＩＤを入力（例えば、キーボードから手入力、或いはカードリーダでスキャンして入力）すると共に、レジ端末４の入力部を操作して上記購入された洋服の商品コードを入力（例えば、当該洋服に付けられた値札に記載されている商品コードをキーボードから手入力、当該洋服に付けられた値札に記載されているバーコードをバーコードリーダでスキャンして入力、或いは、当該洋服に付けられたＩＣタグに記憶されている商品コードをＩＣタグリーダで読み取り入力）する。こうして入力された会員ＩＤと商品コードとは対応付けられてレジ端末４の例えばＲＡＭに一時的に記憶される。
【００４５】
続いて、店員Ｔ１は、レジ端末４の入力部を操作して商品情報の登録指示を行うと、レジ端末４はネットワーク３を介してＷＥＢサーバ２に接続して上記入力、記憶された会員ＩＤと商品コードをＷＥＢサーバ２に送信する。これに対して、ＷＥＢサーバ２は、上記会員ＩＤと商品コードを受信すると、受信した商品コードを、上記会員ＩＤに対応付けてユーザ情報ＤＢ２ｂに登録する。
【００４６】
こうして、ユーザＵ１が例えば洋服等の商品を購入する度に、当該ユーザＵ１は、その商品の商品コードをユーザ情報ＤＢ２ｂに登録させることができる。
【００４７】
図３の（Ｂ）の態様の場合、携帯電話機１Ａ又はユーザ端末５と、ＷＥＢサーバ２との間の通信確立後、当該ＷＥＢサーバ２は、ユーザＵ１により携帯電話機１Ａ又はユーザ端末５の入力部から入力された会員ＩＤ及びパスワードを取得してログイン処理（認証処理）を行った後、携帯電話機１Ａ又はユーザ端末５からの商品検索画面要求指示に対して商品検索画面を、携帯電話機１Ａ又はユーザ端末５に提供（送信）して表示させる。このような商品検索画面が携帯電話機１Ａ又はユーザ端末５の表示部上に表示された状態で、ユーザは自己が所有している洋服を検索するために、入力部を操作して検索キー（例えば、自己が所有している洋服の商品コード（複数選択可）を、商品名、ブランド名、販売店舗名等）を入力して商品検索指示を行うと、ＷＥＢサーバ２は、当該検索キーに合致する商品の商品情報を商品情報ＤＢ２ａから検索、取得し、携帯電話機１Ａ又はユーザ端末５に対して提供する。これに対して、携帯電話機１Ａ又はユーザ端末５は、ＷＥＢサーバ２から提供された商品情報（商品コードを含む）を受信し、その全部又は一部を、表示部における表示画面上（例えば、図３（Ｂ）に示す商品リスト５１上）に表示する。
【００４８】
なお、複数の商品の商品情報が検索、提供された場合、各商品の商品情報が区別可能に表示されることになる。
【００４９】
そして、ユーザＵ１は、携帯電話機１Ａ又はユーザ端末５の入力部を操作して、表示された商品リスト５１から、自己が所有している洋服を１又は複数選択し、商品情報の登録指示を行うと、携帯電話機１Ａ又はユーザ端末５は上記選択された商品の商品コードをネットワーク３を介してＷＥＢサーバ２に送信する。これに対して、ＷＥＢサーバ２は、上記商品コードを受信すると、受信した商品コードを、上記ログイン処理にて取得された会員ＩＤに対応付けてユーザ情報ＤＢ２ｂに登録する。
【００５０】
こうして、ユーザＵ１は、例えば洋服等の商品を購入する際に、その商品の商品コードの登録を行わなかった場合にも、後から自宅等で購入して所有している商品の商品コードをユーザ情報ＤＢ２ｂに登録させることができる。
【００５１】
なお、上記例では、ユーザ情報ＤＢ２ｂに商品コードが登録されるように構成したが、商品コードを含む商品情報が登録されるように構成しても良い。
【００５２】
（２．商品の公開設定）
次に、商品の公開設定がされる際の動作例について、図４を参照して説明する。
【００５３】
図４は、商品の公開設定がされる場合における携帯電話機１Ａ又はユーザ端末５の表示画面上の表示例を示す図である。
【００５４】
ここで、商品の公開とは、自己が所有する商品であって、ユーザ情報ＤＢ２ｂに登録された商品コードに対応する商品の商品情報を他のユーザ（第三者）に対して提供すること又は提供可能な状態にすることをいう。
【００５５】
携帯電話機１Ａ又はユーザ端末５と、ＷＥＢサーバ２との間の通信確立後、当該ＷＥＢサーバ２は、ユーザＵ１により携帯電話機１Ａ又はユーザ端末５の入力部から入力された会員ＩＤ及びパスワードを取得してログイン処理（認証処理）を行った後、携帯電話機１Ａ又はユーザ端末５からの公開設定要求指示に対して、上記会員ＩＤに対応する商品コードのうち、公開設定がされていない（公開設定フラグが“０”である）商品の商品コードをユーザ情報ＤＢ２ｂから取得し、当該取得した全ての商品コードに対応する商品情報を商品情報ＤＢ２ａから取得し、当該取得した商品情報を携帯電話機１Ａ又はユーザ端末５に対して提供する。これに対して、携帯電話機１Ａ又はユーザ端末５は、ＷＥＢサーバ２から提供された商品情報（商品コードを含む）を受信し、その全部又は一部を、表示部における表示画面上（例えば、図４に示す所有商品リスト５２上）に表示する。
【００５６】
そして、ユーザＵ１は、携帯電話機１Ａ又はユーザ端末５の入力部を操作して、表示された所有商品リスト５２から、公開したい商品の商品情報を選択ボタン５３により１又は複数選択し、保存ボタン５４を指定すると、当該選択された商品又は商品の組合せ（商品のコーディネイトとして複数選択された場合）に対して付与すべき公開名の入力画面（図示せず）が表示される。
【００５７】
そして、ユーザＵ１は、携帯電話機１Ａ又はユーザ端末５の入力部を操作して、表示された入力画面上で所望の公開名を入力した後、公開設定指示を行うと、携帯電話機１Ａ又はユーザ端末５は、上記選択された商品の商品コード及び入力された公開名をネットワーク３を介してＷＥＢサーバ２に送信する。これに対して、ＷＥＢサーバ２は、上記商品コード及び公開名を受信すると、当該公開名を、当該受信した商品コード及び上記ログイン処理にて取得された会員ＩＤに対応付けてユーザ情報ＤＢ２ｂに登録すると共に、当該商品コード及び会員ＩＤに対応する公開設定フラグを“１”に設定し、ユーザ情報ＤＢ２ｂに登録する。なお、図４に示す所有商品リスト５２上で複数の商品が選択された場合（組合せに係る商品）、夫々の商品の商品コードに同一のコーディネイトＩＤが付与され、ユーザ情報ＤＢ２ｂに登録されることになる。
【００５８】
（３．本日着用する商品の設定）
次に、公開設定がなされた商品のうち、本日着用する商品の設定がされる際の動作例について、図５を参照して説明する。
【００５９】
図５は、本日着用する商品の設定がされる場合における携帯電話機１Ａ又はユーザ端末５の表示画面上の表示例を示す図である。
【００６０】
携帯電話機１Ａ又はユーザ端末５と、ＷＥＢサーバ２との間の通信確立後、当該ＷＥＢサーバ２は、ユーザＵ１により携帯電話機１Ａ又はユーザ端末５の入力部から入力された会員ＩＤ及びパスワードを取得してログイン処理（認証処理）を行った後、携帯電話機１Ａ又はユーザ端末５からの本日着用設定要求指示に対して、上記会員ＩＤに対応する商品コードのうち、公開設定がされている（公開設定フラグが“１”である）商品の商品コード及び公開名をユーザ情報ＤＢ２ｂから取得し、当該取得した全ての商品コードに対応する商品情報を商品情報ＤＢ２ａから取得し、当該取得した商品情報及び公開名を携帯電話機１Ａ又はユーザ端末５に対して提供する。これに対して、携帯電話機１Ａ又はユーザ端末５は、ＷＥＢサーバ２から提供された商品情報（商品コードを含む）及び公開名を受信し、そのうち公開名を、表示部における表示画面上（例えば、図５（Ａ）に示す公開設定商品リスト５５上）に表示する。
【００６１】
このように表示された公開設定商品リスト５５上には、過去に公開設定がなされた商品の公開名５６が表示されていると共に、公開ボタン５７、非公開ボタン５８、本日着用ボタン５９、及び詳細表示ボタン６０が表示されている。ユーザＵ１は、携帯電話機１Ａ又はユーザ端末５の入力部を操作して所望の公開名を選択し、公開ボタン５７及び非公開ボタン５８により、公開、非公開を切り替えることが可能になっている。また、ユーザＵ１が、携帯電話機１Ａ又はユーザ端末５の入力部を操作して所望の公開名を選択（例えばカーソルで選択）し、詳細表示ボタン６０を指定すると、図５（Ｂ）に示すように、上記選択された公開名に対応する商品又は商品の組合せに係る商品情報が表示される。図５（Ｂ）に示すような画面上で、ユーザＵ１は公開名の変更、組合せにおける商品の追加、変更、或いは商品情報の削除を行うことが可能になっている。
【００６２】
そして、ユーザＵ１は、携帯電話機１Ａ又はユーザ端末５の入力部を操作して、表示された公開設定商品リスト５５上で、例えば今から外出する際に着用する商品の公開名を選択し、本日着用ボタン５９を指定すると、携帯電話機１Ａ又はユーザ端末５は、当該選択された公開名に対応する商品コードをネットワーク３を介してＷＥＢサーバ２に送信する。これに対して、ＷＥＢサーバ２は、上記商品コードを受信すると、当該受信した商品コード及び上記ログイン処理にて取得された会員ＩＤに対応する本日着用設定フラグを“１”に設定し、ユーザ情報ＤＢ２ｂに登録する。
【００６３】
（４．携帯電話機間における商品情報の送受信）
次に、携帯電話機間における商品情報の送受信がされる際の動作例について、図６乃至図９を参照して説明する。
【００６４】
図６（Ａ）は、商品情報の送信条件が設定される場合における携帯電話機１Ａの表示画面上の表示例を示す図であり、図６（Ｂ）は、商品情報の受信条件が設定される場合における携帯電話機１Ｂの表示画面上の表示例を示す図である。
【００６５】
また、図７は、携帯電話機１Ａと携帯電話機１Ｂ間における商品情報の送受信がされる際の様子を示す図であり、図８（Ａ）は、商品情報の受信側である携帯電話機１Ｂの制御部１１における処理を、図８（Ｂ）は、商品情報の送信側である携帯電話機１Ａの制御部１１に処理を、夫々示すフローチャートであり、図９は、図８（Ａ）の処理において携帯電話機１Ｂの表示部１７に表示された受信画面例を示す図である。
【００６６】
当該商品情報の送受信が行われる前提として、例えば、商品情報の送信側である携帯電話機１Ａでは、商品情報の送信設定が行われ、商品情報の受信側である携帯電話機１Ｂでは、商品情報の受信設定が行われる。
【００６７】
商品情報の送信設定は、例えば、自己の商品情報を提供したいユーザＵ１による入力部１８の操作に従って行われ、当該送信設定がなされると、当該ユーザＵ１のユーザ情報（例えば、性別及び年齢）が送信設定情報として携帯電話機１Ａの記憶部１２に記憶される。なお、当該送信設定は、当該ユーザＵ１が所有する商品であって、ユーザ情報ＤＢ２ｂに登録された商品コードに対応する商品のうち公開設定がされている（公開設定フラグが“１”となっている）商品が少なくとも一つある場合にのみなされる（言い換えれば、公開設定がされている商品が一つもない場合には、商品情報の送信設定はできない）。
【００６８】
更に、ユーザＵ１は入力部１８を操作して、図６（Ａ）に示すような画面上で商品情報の送信条件（例えば、商品情報の提供先となるべきユーザの性別及び年齢範囲）を設定（送信条件設定手段としての制御部１１により）することができ、設定された送信条件は、携帯電話機１Ａの記憶部１２に記憶される。
【００６９】
一方、商品情報の受信設定は、例えば、他のユーザの商品情報の提供を受けたいユーザＵ２による入力部１８の操作に従って行われ、当該受信設定がなされると、当該ユーザＵ２のユーザ情報（例えば、性別及び年齢）が受信設定情報として携帯電話機１Ｂの記憶部１２に記憶される。
【００７０】
更に、ユーザＵ２は入力部１８を操作して、図６（Ｂ）に示すような画面上で商品情報の受信条件（例えば、商品情報の提供元となるべきユーザの性別及び年齢範囲）、及び商品情報の提供元となるべきユーザの本日着用商品のみの受信を設定（受信条件設定手段としての制御部１１により）することができ、設定された受信条件及び本日着用商品のみの受信を示す情報は、携帯電話機１Ｂの記憶部１２に記憶される。
【００７１】
そして、送信設定がなされた携帯電話機１Ａを持つユーザＵ１と、受信設定がなされた携帯電話機１Ｂを持つユーザＵ２が、例えば通りで接近（例えば、すれ違った）することにより、携帯電話機１Ａと携帯電話機１Ｂ間の距離が通信可能距離である例えば１０ｍ以内になると、携帯電話機１Ａの近距離無線通信部１４と携帯電話機１Ｂの近距離無線通信部１４は互いを認識し、認証処理を経て近距離無線通信が確立すると、携帯電話機１Ａと携帯電話機１Ｂとの間で所定の情報（例えば、上記送信設定情報及び受信設定情報）の交換が行われる。
【００７２】
これにより、携帯電話機１Ｂの制御部１１は、図８（Ａ）に示す処理を開始し、先ず、通信相手である携帯電話機１Ａが送信設定しているか否かを判別する（ステップＳ１）。携帯電話機１Ａが送信設定している場合（ステップＳ１：Ｙ）、つまり、携帯電話機１Ｂが携帯電話機１Ａから上記送信設定情報を取得している場合には、ステップＳ２に移行され、携帯電話機１Ａが送信設定していない場合には（ステップＳ１：Ｎ）、当該処理が終了する。
【００７３】
ステップＳ２では、携帯電話機１Ｂの制御部１１は、受信条件が設定されているか否かを判別し、受信条件が設定されていない場合（ステップＳ２：Ｎ）、つまり、携帯電話機１Ｂの記憶部１２に受信条件が記憶されていない場合には、当該制御部１１は、報知手段として、商品情報が受信可能であることを、例えば、携帯電話機１Ｂのスピーカ１５からメロディ音を出力したり、携帯電話機１Ｂを振動させたりすることによって当該ユーザＵ２に対して報知する（ステップＳ４）。
【００７４】
次いで、携帯電話機１Ｂの制御部１１は、図９に示すような受信画面６１を携帯電話機１Ｂの表示部１７に表示（例えば、待ち受け画面から当該受信画面６１に切り替わる）させる（ステップＳ５）。かかる受信画面６１上には、図９に示すように、商品情報が受信可能である旨、受信ボタン６２、及び見送りボタン６３が表示されている。
【００７５】
このような受信画面６１の表示状態において、例えば、携帯電話機１ＢのユーザＵ２が、携帯電話機１ＡのユーザＵ１の現在着用している洋服を見て気に入らず、その洋服の商品情報を欲しくない場合、当該ユーザＵ２は携帯電話機１Ｂの入力部１８を操作して見送りボタン６３を指定（又は押下）する。見送りボタン６３が指定された場合には（ステップＳ６：Ｙ）、当該処理が終了する。一方、例えば、携帯電話機１ＢのユーザＵ２が、携帯電話機１ＡのユーザＵ１の現在着用している洋服を見て気に入り、その洋服の商品情報を欲しい場合、当該ユーザＵ２は携帯電話機１Ｂの入力部１８を操作して受信ボタン６２を指定する。受信ボタン６２が指定（又は押下）された場合（つまり、商品情報の受信指示があった場合）には（ステップＳ７：Ｙ）、ステップＳ９に移行される。
【００７６】
なお、ステップＳ８では、携帯電話機１Ａとの間の近距離無線通信が途絶したか否かが判別され（ステップＳ８）、途絶した場合（ステップＳ８：Ｙ）、つまり、携帯電話機１Ａと携帯電話機１Ｂ間の距離が通信可能距離外になると、当該処理が終了する。
【００７７】
一方、上記ステップＳ２において、受信条件が設定されている場合（ステップＳ２：Ｙ）、つまり、携帯電話機１Ｂの記憶部１２に受信条件が記憶されている場合には、携帯電話機１Ｂの制御部１１は、通信相手である携帯電話機１Ａから取得した送信設定情報に含まれるユーザ情報（例えば、ユーザＵ１の性別及び年齢）が、当該受信条件（性別及び年齢範囲）を満たすか否かを判別する（ステップＳ３）。例えば、携帯電話機１ＡのユーザＵ１の性別が「女性」で年齢が「２１歳」であり、受信条件における性別が「女性」で年齢範囲が「１８歳から２９歳」である場合、当該受信条件が満たされると判別される。
【００７８】
当該受信条件を満たさないと判別された場合には（ステップＳ３：Ｎ）、当該処理が終了する。一方、当該受信条件を満たすと判別された場合には（ステップＳ３：Ｙ）、ステップＳ９に移行される。
【００７９】
ステップＳ９では、携帯電話機１Ｂの制御部１１は、送信要求情報送信手段として、商品情報の送信要求を示す送信要求情報を近距離無線通信部１４を介して携帯電話機１Ａに送信し、受信待機状態になる。なお、本日着用商品のみの受信を示す情報が記憶部１２に記憶されている場合、携帯電話機１Ｂの制御部１１は、当該本日着用商品のみの受信を示す情報を上記送信要求情報に含ませて送信することになる。
【００８０】
一方、携帯電話機１Ａの制御部１１は、携帯電話機１Ｂから送信されてきた送信要求情報を受信すると、図８（Ｂ）に示す処理を開始し、先ず、送信条件が設定されているか否かを判別する（ステップＳ２１）。送信条件が設定されていない場合（ステップＳ２１：Ｎ）、つまり、携帯電話機１Ａの記憶部１２に送信条件が記憶されていない場合には、ステップＳ２３に移行される。一方、送信条件が設定されている場合には（ステップＳ２１：Ｙ）、携帯電話機１Ａの制御部１１は、通信相手である携帯電話機１Ｂから取得した受信設定情報に含まれるユーザ情報（例えば、ユーザＵ２の性別及び年齢）が、当該送信条件（性別及び年齢範囲）を満たすか否かを判別する（ステップＳ２２）。
【００８１】
当該送信条件を満たさないと判別された場合には（ステップＳ２２：Ｎ）、当該処理が終了する。一方、当該送信条件を満たすと判別された場合には（ステップＳ２２：Ｙ）、ステップＳ２３に移行される。
【００８２】
ステップＳ２３では、携帯電話機１Ａの制御部１１は、ＷＥＢサーバ２からの商品情報の取得処理を行う。より具体的には、携帯電話機１Ａの制御部１１は、ネットワーク３を介してＷＥＢサーバ２との間の通信を確立し、当該携帯電話機１ＡのユーザＵ１の会員ＩＤ（予め記憶部１２に記憶されている）と共に、商品情報の取得要求を示す商品情報取得要求情報（上記受信された送信要求情報に本日着用商品のみの受信を示す情報が含まれている場合、当該情報を含む）をＷＥＢサーバ２に対して送信すると、ＷＥＢサーバ２は、これに対して、当該会員ＩＤに対応する商品コードのうち、公開設定がされている（公開設定フラグが“１”である）商品（本日着用商品のみの受信を示す情報が商品情報取得要求情報に含まれている場合、本日着用設定フラグが“１”である商品のみ）の商品コード及び公開名をユーザ情報ＤＢ２ｂから取得し、当該取得した商品コードに対応する商品情報を商品情報ＤＢ２ａから取得し、当該取得した商品情報及び公開名を携帯電話機１Ａに対して提供する。これに対して、携帯電話機１Ａの制御部１１は、商品情報取得手段として、ＷＥＢサーバ２から提供されたユーザＵ１の商品情報（商品コードを含む）及び公開名を取得する。
【００８３】
次いで、携帯電話機１Ａの制御部１１は、商品情報送信手段として、上記取得した商品情報（商品コードを含む）及び公開名、並びにユーザＵ１の会員ＩＤを、近距離無線通信部１４を介して携帯電話機１Ｂに送信し（ステップＳ２４）、当該処理を終了する。
【００８４】
一方、携帯電話機１Ｂの制御部１１は、商品情報受信手段として、携帯電話機１Ａから送信されてきた上記商品情報等を受信すると（ステップＳ１０：Ｙ）、ＷＥＢサーバ２への商品情報の保存処理を行う。より具体的には、携帯電話機１Ｂの制御部１１は、ネットワーク３を介してＷＥＢサーバ２との間の通信を確立し、当該携帯電話機１ＢのユーザＵ２の会員ＩＤ（予め記憶部１２に記憶されている）、上記受信した商品情報（商品コードを含む）及び公開名、並びにユーザＵ１の会員ＩＤと共に、商品情報の保存要求を示す商品情報保存要求情報をＷＥＢサーバ２に対して送信すると、ＷＥＢサーバ２は、これに対して、上記受信した商品コード及び公開名、並びに登録年月日及び時刻を、当該ユーザＵ２の会員ＩＤに対応付けてユーザ情報ＤＢ２ｂに登録（他のユーザから提供された商品情報の商品コードとして登録）、保存する。そして、ＷＥＢサーバ２は、商品情報及び公開名と共に受信した携帯電話機１ＡのユーザＵ１の会員ＩＤに対して所定のポイント（例えば、１０ポイント）を付与（商品情報を提供したことに対する報酬）し、当該付与されたポイント、当該商品の公開名及び登録年月日及び時刻を含む商品情報の送信履歴を、当該会員ＩＤに対応付けてユーザ情報ＤＢ２ｂに登録する。このような商品情報の送信履歴は、上記のように商品情報の送受信がある度に登録されることになる。ユーザＵ１は、携帯電話機Ａ１からＷＥＢサーバ２に接続して、登録された送信履歴を携帯電話機Ａ１から閲覧することができる。
【００８５】
なお、ステップＳ１１では、商品情報の送信要求情報を送信してから所定時間（例えば、携帯電話機１ＡがＷＥＢサーバ２から商品情報の取得に要する最大時間が考慮されて決定される）が経過したか否かが判別され、所定時間が経過した場合には（ステップＳ１１：Ｙ）、当該処理が終了する。また、ステップＳ１２では、ステップＳ８と同様、携帯電話機１Ａとの間の近距離無線通信が途絶したか否かが判別され、途絶した場合には（ステップＳ１２：Ｙ）、当該処理が終了する。
【００８６】
このような処理によれば、携帯電話機１Ａと携帯電話機１Ｂとの近距離無線通信が確立された場合に、携帯電話機１ＡのユーザＵ１により本日着用設定された洋服等の商品、更には公開設定された洋服等の商品の商品情報が携帯電話機１Ｂに送信されるので、携帯電話機１ＢのユーザＵ２は、例えば通りすがりの携帯電話機１ＡのユーザＵ１により着用されている（更には公開されている）洋服等の商品の商品情報をより効率良く取得して、後から閲覧可能に保存することができる。
【００８７】
また、携帯電話機１Ｂにおいて性別及び年齢範囲等の受信条件を設定可能であるので、携帯電話機１ＢのユーザＵ２は、例えば自分と同じ性別及び年齢範囲のユーザにより着用されている（更には公開されている）洋服等の商品の商品情報をより効率良く取得することができる。
【００８８】
また、携帯電話機１Ｂにおいて受信条件が設定されない場合、携帯電話機１ＢのユーザＵ２は、例えば通りすがりのユーザにより着用されている洋服等の商品のうち、自分が気に入った商品の商品情報のみを受信ボタンの指定により取得することができる。
【００８９】
更にまた、携帯電話機１Ａにおいて性別及び年齢範囲等の受信条件を設定可能であるので、携帯電話機１ＡのユーザＵ１は、例えば自分と同じ性別及び年齢範囲のユーザのみに、自己が着用している（更には公開している）洋服等の商品の商品情報を提供することができる。
【００９０】
なお、上記処理は、２つの携帯電話機間における商品情報の送受信の例を示したが、３つ以上の携帯電話機間で周波数ポッピングにより近距離無線通信を行うことも可能であり、この場合、例えば、上記ステップＳ５にて受信側の携帯電話機１Ｂの表示部１７に表示される受信画面には、複数の送信側の携帯電話機から送信された例えばユーザの氏名及び本日着用設定されている商品の商品画像がサムネイル表示され、携帯電話機１ＢのユーザＵ２が入力部１８を操作して、所望の商品画像を選択すると、その商品画像に対応する商品コードがＷＥＢサーバ２におけるユーザ情報ＤＢ２ｂに登録されるように構成しても良い。
【００９１】
（５．商品情報の閲覧）
次に、ＷＥＢサーバ２のユーザ情報ＤＢ２ｂに登録された商品コードに対応する商品情報が閲覧される際の動作例について、図１０を参照して説明する。
【００９２】
図１０は、商品情報が閲覧される場合における携帯電話機１Ｂの表示画面上の表示例を示す図である。
【００９３】
例えば、携帯電話機１Ｂ（ユーザ端末５を利用しても良い）と、ＷＥＢサーバ２との間の通信確立後、当該ＷＥＢサーバ２は、ユーザＵ２により携帯電話機１Ｂの入力部１８から入力された会員ＩＤ及びパスワードを取得してログイン処理（認証処理）を行った後、携帯電話機１Ｂからの商品情報（他のユーザから取得した商品情報を指定）の閲覧要求指示に対して、上記会員ＩＤに対応する商品コードのうち、他のユーザから提供され、登録された商品コード及びその公開名、並びに登録年月日及び時刻を、ユーザ情報ＤＢ２ｂから取得し、当該取得した全ての商品コードに対応する商品情報を商品情報ＤＢ２ａから取得し、当該取得した商品情報及び公開名等を携帯電話機１Ｂに対して提供する。これに対して、携帯電話機１Ｂは、ＷＥＢサーバ２から提供された商品情報（商品コードを含む）及び公開名等を受信し、その全部又は一部を、表示部における表示画面上（例えば、図１０（Ａ）に示す受信リスト６５上）に表示する。図１０（Ａ）に示す受信リスト６５上には、公開名及び登録年月日が表示されており、携帯電話機１ＢのユーザＵ１は、入力部１８を操作して、表示された受信リスト６５から所望の公開名を選択すると、図１０（Ｂ）に示すように、選択された公開名に対応する商品情報の詳細が表示されることになる。これにより、携帯電話機１ＢのユーザＵ２は、後々のショッピングの際に、携帯電話機１Ｂから、保存された商品情報に係る商品のブランド名や販売する店舗の場所等を確認することができる。
【００９４】
（６．ポイントランキングの公開）
次に、ユーザのポイントランキングが決定され、公開される際の動作例について、図１１及び図１２を参照して説明する。
【００９５】
図１１は、ＷＥＢサーバ２におけるポイントランキング決定及び公開処理を示すフローチャートである。図１２は、ポイントランキングが閲覧される場合における端末の表示画面上の表示例を示す図である。
【００９６】
図１１に示す処理は、一定期間（例えば、１日）毎に実行される。図１１に示す処理が開始されると、ＷＥＢサーバ２の制御部は、先ず、ポイントの積算対象となる会員ＩＤを１つ特定する（ステップＳ３１）。なお、会員ＩＤは、例えば、登録順に特定される。
【００９７】
次いで、ＷＥＢサーバ２の制御部は、ユーザ情報ＤＢ２ｂから、上記特定した会員ＩＤに対応付けられた商品情報の送信履歴を全て取得する（ステップＳ３２）。
【００９８】
次いで、ＷＥＢサーバ２の制御部は、取得した各送信履歴からポイントを抽出して、当該抽出したポイントを積算する（ステップＳ３３）。
【００９９】
次いで、ＷＥＢサーバ２の制御部は、上記特定した会員ＩＤに対応するユーザの氏名、年齢、性別、住所等のユーザ情報をユーザ情報ＤＢ２ｂから取得し、当該ユーザ情報と上記積算したポイント（以下、「積算ポイント」という）とを対応付けてポイントランキングリストに登録する（ステップＳ３４）。
【０１００】
次いで、ＷＥＢサーバ２の制御部は、未だ特定していない会員ＩＤがあるか否かを判別し（ステップＳ３５）、未だ特定していない会員ＩＤがある場合には（ステップＳ３５：Ｙ）、ステップＳ３１に戻り、未だ特定していない会員ＩＤを特定して上記と同様の処理を行う。そして、特定していない会員ＩＤがない場合（ステップＳ３５：Ｎ）、つまり、ユーザ情報ＤＢ２ｂに登録されている会員ＩＤのうち、送信履歴が登録されている会員ＩＤについて、積算ポイント等がポイントランキングリストに登録された場合には、ＷＥＢサーバ２の制御部は、ポイントランキングリストに登録された各会員ＩＤに対応する積算ポイントを相互に比較して例えば、積算ポイントが多い順に並べ替えてポイントランキングを決定し（ステップＳ３６）、当該決定したポイントランキングをポイントランキングリストに登録する。こうして、ランキング決定手段としての制御部により、商品情報の送信回数に基づくユーザのポイントランキングが決定される。なお、当該ポイントランキングは、ユーザの年齢、性別等毎に決定されるように構成してもよい。
【０１０１】
次いで、ＷＥＢサーバ２の制御部は、ポイントランキングの公開設定を行う（ステップＳ３７）。このポイントランキングの公開設定では、ポイントランキングが登録されたポイントランキングリストのデータが、例えば、不特定多数の端末からの例えばランキングサイトへのアクセスに応じて提供可能なように設定される。これにより、ランキング提供手段としてのＷＥＢサーバ２の制御部は、上記決定されたユーザのポイントランキングをネットワーク３を介して接続してきた端末に対して提供可能になる。こうして、例えば、多くの一般ユーザや企業ユーザは、自己の端末から例えばランキングサイトへのアクセスすることによって、図１２（Ａ）に示すようなポイントランキング画面上で上記ポイントランキングを閲覧することができ、更に、ランキングの上位にいるユーザの公開商品リスト及びその商品情報（図１２（Ｂ）及び（Ｃ））や、ランキングの上位にいるユーザのプロフィール（図１２（Ｄ））を端末上で閲覧することができる。図１２（Ｄ）の表示画面例では、ファッション誌への協力可否、及びアパレルメーカへの協力可否も表示可能になっており、これらの協力可否は、各ユーザが携帯電話機等からＷＥＢサーバ２のユーザ情報ＤＢ２ｂに登録することができる。
【０１０２】
このような処理によれば、携帯電話機を通じて他のユーザに自己の商品情報を提供したユーザにはポイントが付与され、そのポイントランキングが公開されるので、自己が着用している商品のセンスについての他人の客観的な評価を容易に得ることができる。また、消費者は、多数の人目をひいた洋服等の商品の色やデザイン、コーディネイト等を容易に把握することができる。また、ファッション雑誌の出版社やアパレルメーカは、洋服等に関して企画に相応しいセンスを持った一般消費者を容易に探すことができ、ポイントランキング上位者に対して記事執筆依頼やモデル依頼、消費共同開発、企画参加などを持ちかけることができる。また、洋服等の商品を販売した店舗は自店の洋服がユーザ間を伝搬していくことにより販促効果を期待することができる。
【０１０３】
なお、上記実施形態においては、携帯型の端末装置として携帯電話機を例にとって説明したが、この他にも、例えば、携帯型のパーソナルコンピュータ（ＰＣ）、ＰＤＡ（Personal Digital Assistant）等にも適用することができる。
【図面の簡単な説明】
【０１０４】
【図１】実施形態に係る商品情報提供システムの全体構成例を示す図である。
【図２】携帯電話機の概要構成例を示す図である。
【図３】商品の商品コードがユーザ情報ＤＢ２ｂに登録される際の様子を示す図である。
【図４】商品の公開設定がされる場合における携帯電話機１Ａ又はユーザ端末５の表示画面上の表示例を示す図である。
【図５】本日着用する商品の設定がされる場合における携帯電話機１Ａ又はユーザ端末５の表示画面上の表示例を示す図である。
【図６】（Ａ）は、商品情報の送信条件が設定される場合における携帯電話機１Ａの表示画面上の表示例を示す図であり、（Ｂ）は、商品情報の受信条件が設定される場合における携帯電話機１Ｂの表示画面上の表示例を示す図である。
【図７】携帯電話機１Ａと携帯電話機１Ｂ間における商品情報の送受信がされる際の様子を示す図である。
【図８】（Ａ）は、商品情報の受信側である携帯電話機１Ｂの制御部１１における処理を、（Ｂ）は、商品情報の送信側である携帯電話機１Ａの制御部１１に処理を、夫々示すフローチャートである。
【図９】図８（Ａ）の処理において携帯電話機１Ｂの表示部１７に表示された受信画面例を示す図である。
【図１０】商品情報が閲覧される場合における携帯電話機１Ｂの表示画面上の表示例を示す図である。
【図１１】ＷＥＢサーバ２におけるポイントランキング決定及び公開処理を示すフローチャートである。
【図１２】ポイントランキングが閲覧される場合における端末の表示画面上の表示例を示す図である。
【符号の説明】
【０１０５】
１Ａ，１Ｂ  携帯電話機
２  ＷＥＢサーバ
２ａ  商品情報ＤＢ
２ｂ  ユーザ情報ＤＢ
３  ネットワーク
４  店舗の端末
５  ユーザ端末
１１  制御部
１２  記憶部
１３  無線通信部
１４  近距離無線通信部
１５  スピーカ
１６  マイクロフォン
１７  表示部
１８  入力部
１９  バス
【図１】
2006330844.tif 000003
【図２】
2006330844.tif 000004
【図３】
2006330844.tif 000005
【図４】
2006330844.tif 000006
【図５】
2006330844.tif 000007
【図６】
2006330844.tif 000008
【図７】
2006330844.tif 000009
【図８】
2006330844.tif 000010
【図９】
2006330844.tif 000011
【図１０】
2006330844.tif 000012
【図１１】
2006330844.tif 000013
【図１２】
2006330844.tif 000014